(57)【要約】      （修正有）【課題】監視者が中央監視装置のように固定された場所で各種情報を監視する必要がないコントロールセンタ監視システムを提供する。【解決手段】コントロールセンタ監視システム１は、負荷を制御するコントロールユニット１４ａ、１４ｂ、１４ｃ、１４ｄと、前記コントロールユニットから受信した信号を無線通信により発信する発信装置１６ａ、１６ｂ、１６ｃと、を備えるコントロールセンタ１２ａ、１２ｂ、１２ｃと、前記発信装置との間で無線通信により信号の送受信を行う携帯端末４０と、を備える。【選択図】図１
2018126026.tif 000002
【特許請求の範囲】
【請求項１】
負荷を制御するコントロールユニットと、前記コントロールユニットから受信した信号を無線通信により発信する第１発信装置と、を備えるコントロールセンタと、
前記発信装置との間で無線通信により信号の送受信を行う携帯端末と、
を備えるコントロールセンタ監視システム。
【請求項２】
前記第１発信装置と無線通信により信号の送受信を行い、前記第１発信装置から受信した信号を増幅して無線通信により発信する第２発信装置をさらに備える請求項１に記載のコントロールセンタ監視システム。
【請求項３】
センサと、
前記センサに接続され、前記センサにより取得されたアナログ信号をデジタル信号による計測値に変換する計測機と、をさらに備えており、
前記計測機は前記発信装置に前記計測値を送信し、前記発信装置は前記計測値を無線通信により発信する請求項１に記載のコントロールセンタ監視システム。
【請求項４】
負荷を制御するコントロールユニットと、前記コントロールユニットから受信した信号を無線通信により発信する発信装置と、を備えるコントロールセンタ。
【請求項５】
センサと、
前記センサに接続され、前記センサにより取得されたアナログ信号をデジタル信号による計測値に変換する計測機と、をさらに備えており、
前記計測機は前記発信装置に前記計測値を送信し、前記発信装置は前記計測値を無線通信により発信する請求項４に記載のコントロールセンタ。
【発明の詳細な説明】
【技術分野】
【０００１】
本発明の実施形態は、コントロールセンタ、及びコントロールセンタ監視システムに関する。
【背景技術】
【０００２】
コントロールセンタに収納される負荷制御装置（以下、コントロールユニットと称する）から発信される故障信号等の出力信号は、有線で接続された中央監視装置等に送信され、中央監視装置で出力信号の内容を表示している。しかし、中央監視装置はコントロールセンタから距離が離れた場所に固定して設置されている場合が多い。そのため、コントロールセンタの監視者は、中央監視装置の表示装置の面前において出力信号の内容表示を常時監視する必要があった。
【先行技術文献】
【特許文献】
【０００３】
【特許文献１】特開２０１５−２１６７５１号公報
【発明の概要】
【発明が解決しようとする課題】
【０００４】
実施形態は、上記課題に鑑みたものであり、監視者が中央監視装置のように固定された場所で各種情報を監視する必要がないコントロールセンタ監視システムを提供する。
【課題を解決するための手段】
【０００５】
実施形態に係るコントロールセンタ監視システムは、負荷を制御するコントロールユニットと、前記コントロールユニットから受信した信号を無線通信により発信する第１発信装置と、を備えるコントロールセンタと、前記発信装置との間で無線通信により信号の送受信を行う携帯端末と、を備える。
【図面の簡単な説明】
【０００６】
【図１】コントロールセンタ監視システムの概略構成を示す図
【図２】第１実施形態に係るコントロールセンタ監視システムの構成を概略的に示す図
【図３】データ構成を概略的に示す図
【図４】第２実施形態に係るコントロールセンタ監視システムの構成を概略的に示す図
【図５】第３実施形態に係るコントロールセンタ監視システムの構成を概略的に示す図
【発明を実施するための形態】
【０００７】
以下、実施形態について図面に基づいて説明する。実施形態の説明において実質的に同一の構成部位には同一の符号を付し、説明を省略する。
（第１実施形態）
第１実施形態について、図１から図３を参照して説明する。図１は実施形態に係るコントロールセンタ監視システム１の概略構成を示す図である。図２は、第１実施形態に係るコントロールセンタ監視システム１の構成を、１つのコントロールセンタと携帯端末に着目して概略的に示す図である。
【０００８】
図１及び図２に示されるように、コントロールセンタ監視システム１は複数のコントロールセンタ１２、及び携帯端末４０を備えている。図１においては３台のコントロールセンタ１２（１２ａ、１２ｂ、１２ｃ）を備えた盤構成例を示しているが、コントロールセンタ１２の台数は任意である。以下、個々のコントロールセンタ１２を示す場合には添え字ａ、ｂ、ｃを記載し、コントロールセンタを総称して示す場合には添え字を記載しないことにより表示する。
【０００９】
それぞれのコントロールセンタ１２は複数のコントロールユニット１４（以下ユニット１４と称する）を備えている。図１にはそれぞれのコントロールセンタ１２につき４台のユニット１４（１４ａ、１４ｂ、１４ｃ、１４ｄ）を備えている構成を例示している。それぞれのコントロールセンタ１２には、発信装置１６が設けられている。図１および図２においては４台のユニット１４（１４ａ、１４ｂ、１４ｃ、１４ｄ）を備えた例を示しているが、ユニット１４の台数は任意である。以下、個々のユニット１４を呼称する場合には添え字ａ、ｂ、ｃ、ｄを記載し、ユニットを総称して呼称する場合には添え字を記載しないことにより表示する。
【００１０】
コントロールセンタ１２には図示しない負荷が接続されている。負荷としては例えば、モータ、抵抗負荷（例えば照明器具）、変圧器などが想定される。コントロールセンタ１２のユニット１４はこれら負荷を制御している。
【００１１】
ユニット１４と発信装置１６とは有線により接続されている。発信装置１６は、ＣＰＵ、ＲＯＭおよびＲＡＭ等の記憶部、Ｉ／Ｏ等を有するマイクロコンピュータを主体として構成されている。発信装置１６は、ＲＯＭに格納されているコンピュータプログラムを実行することで、必要な処理、制御を実行している。
【００１２】
発信装置１６及び携帯端末４０は、無線接続方式により無線ＬＡＮ４２に接続可能に構成されている。無線ＬＡＮ４２には発信装置１６及び携帯端末４０が接続されており、携帯端末４０は発信装置１６との間で無線通信により信号の送受信を行う。無線ＬＡＮ４２は、セキュリティ強化のため、無線ＬＡＮ４２は外部に接続していない孤立したネットワークで構築されている。例えばインターネットとは接続されておらず、ネットワーク的に外部から隔離されている。発信装置１６は、各種信号を無線通信により発信する。
【００１３】
携帯端末４０としては、スマートフォン、タブレット端末、ノートブック型パーソナルコンピュータなどの携帯可能な端末が含まれる。携帯端末４０は内部に図示しない無線送受信部を備えており、無線ＬＡＮ４２に接続可能に構成されている。携帯端末４０は送信を受ける各種情報を指定したり、受信した各種情報を表示したりするために使用する表示部４１を備えている。表示部４１は例えばタッチパネル式の液晶表示装置により構成されている。
【００１４】
携帯端末４０は、ＣＰＵ、ＲＯＭおよびＲＡＭ等の記憶部、Ｉ／Ｏ等を有するマイクロコンピュータを主体として構成されている。携帯端末４０は、ＲＯＭに格納されているアプリケーションプログラム（以下、アプリと称する）を実行することで、必要な処理を実施している。
【００１５】
また、図示はしていないが、コントロールセンタ１２には有線により中央監視装置が接続されており、中央監視装置はコントロールセンタ１２の各種情報を表示可能に構成されている。
【００１６】
図３は、発信装置１６から携帯端末４０に送信される信号のデータ構成を概略的に示す図である。図３に示すように、発信装置１６から送信される信号には、盤アドレス、ユニットアドレス、負荷アドレス、及び異常コード・動作コードが含まれる。
【００１７】
盤アドレスは複数のコントロールセンタ１２を含む盤構成の中から、それぞれのコントロールセンタ１２ａ〜１２ｃを特定するためのアドレスである。ユニットアドレスは、特定されたコントロールセンタ１２に備えられる複数のユニット１４の中からそれぞれのユニット１４ａ〜１４ｄを特定するためのアドレスである。負荷アドレスは、ユニット１４により制御される負荷（例えばモータ）を特定するためのアドレスである。異常コードとはユニット１４により検出された負荷（例えばモータ）の異常情報をコード化した情報であり、例えば過負荷保護情報、地絡保護情報、瞬時過電流保護情報、不足電流保護情報、コントロールユニットの故障情報等が含まれる。動作コードには、例えば、電力量、累積運転時間、運転電流、漏洩電流などが含まれる。これによって、例えば異常信号を検知した場合に、どの負荷において異常信号を検知したか、すなわち故障発生部を特定することが可能となる。また、かかる情報が携帯端末４０に送信された場合に、携帯端末４０の表示部４１に当該情報の盤アドレス、ユニットアドレス、負荷アドレスを特定して表示することができるため、コントロールセンタ１２の状況を明確に把握することが可能となる。
【００１８】
発信装置１６は携帯端末４０から送信対象情報の要求信号を受信し、この要求信号に基づいて送信対象となる情報を選択する。要求信号の授受は、例えば携帯端末４０に発信装置１６との通信を行う専用アプリを準備し、当該専用アプリに送信を希望する情報の項目を入力することにより送信を受ける情報を特定するように構成される。発信装置１６は、送信要求された情報を携帯端末４０に無線通信により送信する。携帯端末４０によって受信された情報は、携帯端末４０の専用アプリ等により携帯端末４０の表示部４１に表示される。
【００１９】
上記動作は、例えば、コントロールセンタ１２の立ち上げ時や定期検査時に行うこととしてもよい。上記各種情報は、ユニット１４で故障等が発生し、上記各種情報がユニット１４から発信装置１６に送信される毎に携帯端末４０に送信される。また、上記各種情報は、携帯端末４０から発信装置１６に送信された各種情報の送信要求信号に応じて、発信装置１６が携帯端末４０に送信するようにしてもよい。
【００２０】
第１実施形態によれば以下の効果を奏する。
コントロールセンタ１２の各種情報が、発信装置１６内に備えられた発信装置１６によって、無線ＬＡＮ４２を介して携帯端末４０に送信され、携帯端末４０の表示部４１において受信した各種情報が表示される。表示される各種情報には、例えば、過負荷保護情報、地絡保護情報、瞬時過電流保護情報、不足電流保護情報、コントロールユニットの故障情報等、電力量、累積運転時間、運転電流、漏洩電流などが含まれる。
【００２１】
携帯端末４０は無線接続により発信装置１６に接続されているため、監視者は中央監視装置のように固定された場所で上記各種情報を監視する必要がない。このため、例えば、携帯端末４０で故障情報を確認しながら、故障が発生しているコントロールセンタ１２の面前に赴き、状況の確認や修理作業を実施することができる等の利便性に優れたコントロールセンタ監視システム１を提供することができる。また、監視者が携帯可能な携帯端末４０にコントロールセンタ１２の情報が表示されるため、迅速に対応が可能となり、故障時のリスク低減につながる。
【００２２】
また、このコントロールセンタ監視システム１を実現する無線ＬＡＮ４２は、外部に接続していない孤立したネットワークで構築されているため、インターネットなどの外部のネットワークの影響を受けることがなく、安全性を向上させることができる。また、コントロールセンタ監視システム１を構築するネットワークを無線ＬＡＮ４２で構築しているため、有線での複雑な配線等を敷設する必要がなく、コントロールセンタ監視システム１を低コストで構成することができる。
【００２３】
（第２実施形態）
第２実施形態について、図４を参照して説明する。図４は第２実施形態に係るコントロールセンタ監視システムの構成を概略的に示す図である。図４に示すように、コントロールセンタ１２は複数のユニット１４（１４ａ〜１４ｄ）を備えており、それぞれのユニット１４はそれぞれ第１信号取得部１７（１７ａ〜１７ｄ）、第２信号取得部１８（１８ａ〜１８ｄ）、及び、信号送受信部１９（１９ａ〜１９ｄ）を備えている。また、コントロールセンタ１２は計測器２０を備えている。以下、個々の第１信号取得部１７を示す場合には添え字ａ、ｂ、ｃ、、を記載し、コントロールセンタを総称して示す場合には添え字を記載しないことにより表示する。第２信号取得部１８、信号送受信部１９についても同様とする。
【００２４】
各ユニット１４において、第１信号取得部１７は信号送受信部１９と有線にて接続されている。信号送受信部１９と発信装置１６は有線により接続されている。信号送受信部１９は図示しないメモリを備えている。第２信号取得部１８は計測器２０と有線により接続されている。計測器２０は発信装置１６と有線により接続されている。
【００２５】
第１信号取得部１７は負荷（例えばモータ）に接続しており、負荷からの信号を受信する。第１信号取得部１７は例えば制御対象のモータに過負荷等が発生した場合に、例えば図示しないリレー接点における電流・電圧のモニタ信号を取得するセンサである。第１信号取得部１７は、取得した信号を信号送受信部１９に送信し、信号送受信部１９によって取得された当該信号は、信号送受信部１９内に備えられた図示しないメモリに記憶される。
【００２６】
メモリに記憶された信号は、発信装置１６からの要求に応じて信号送受信部１９から発信装置１６に送信される。この信号には、図３で示すように、盤アドレス、ユニットアドレス、及び異常コード・動作コードの他、対象となる負荷（例えばモータ）を特定可能とするための情報（例えば負荷アドレス）が含まれる。これにより、送信された信号が、どのコントロールセンタ１２の、どのユニット１４に接続される、どの負荷（例えばモータ）のものであるかを特定することができる。特定された負荷に関する情報は、携帯端末４０の表示部４１に表示される。
【００２７】
携帯端末４０は、例えば専用アプリによって表示対象を指定する機能を備えており、使用者は、表示を希望するコントロールセンタ１２、ユニット１４、及び負荷を指定することが可能となるように構成されている。発信装置１６は、携帯端末４０から表示情報を指定する信号を受信する。発信装置１６は受信した表示指定情報に応じて、信号送受信部１９から取得した信号を、無線通信により信号送受信部１９に送信する。信号送受信部１９、発信装置１６、携帯端末４０はそれぞれの相互間で信号の授受を行う送受信部として機能する。
【００２８】
第２信号取得部１８は例えばユニット１４から出力されるモータ特有信号などの負荷の温度等のアナログ信号を取得するセンサである。取得されたアナログ信号は計測器２０に送信され、計測器２０において測定されることにより計測値すなわちアナログ信号はデジタル信号に変換される。この場合、計測値は例えば温度データとなる。この計測値にはさらにデータ取得先を特定可能とする情報、例えば温度測定したモータのアドレス（すなわち、図３における負荷アドレス）を付加されて、信号送受信部１９のメモリに記憶される。
【００２９】
計測器２０が備えるメモリに記憶された計測値は、発信装置１６からの要求に応じて無線通信により発信装置１６に発信される。発信装置１６は取得した計測値を無線通信により携帯端末４０に送信する。発信装置１６、計測器２０、第２信号取得部１８、及び携帯端末４０は、それぞれの相互間で信号の授受を行う送受信部として機能する。その他の構成は第１実施形態の構成と同様である。
【００３０】
第２実施形態におけるコントロールセンタ監視システム１によれば、第１実施形態と同様の効果を得る。また、信号送受信部１９を設けたことにより、第１信号取得部１７によって取得された電流・電圧のモニタ信号を発信装置１６に送信し、発信装置１６によって無線ＬＡＮ４２による無線通信を介して携帯端末４０に送信することができる。また、計測器２０を設けたことにより、例えば温度等のアナログデータを計測器２０により計測させることができる。また、これにより、測定した温度データを発信装置１６から携帯端末４０に送信可能となる。このように、第２実施形態によれば、携帯端末４０にて表示させる項目を増加させることができるため、メンテナンス性が向上するとともに利便性が向上する。
【００３１】
（第３実施形態）
第３実施形態について、図５を参照して説明する。図５は第３実施形態に係るコントロールセンタ監視システムの構成を概略的に示す図である。図５に示すように、第３実施形態におけるコントロールセンタ監視システム１は、第１発信装置２２ａに加えて、さらに第２発信装置２２ｂを備えている。第１発信装置２２ａは、第１及び第２実施形態における発信装置１６に該当する。
【００３２】
第１発信装置２２ａと第２発信装置２２ｂは無線ＬＡＮ４２ａにより接続されている。第２発信装置２２ｂは、無線接続によって第１発信装置２２ａに接続可能な領域内に存在している。第１発信装置２２ａと第２発信装置２２ｂは無線ＬＡＮ４２ａによって接続している。第２発信装置２２ｂは、無線ＬＡＮ４２ｂを構成している。携帯端末４０は無線ＬＡＮ４２ｂによる接続可能な領域内に存在している。
【００３３】
第２発信装置２２ｂは、第１発信装置２２ａと無線通信により信号の送受信を行い、第１発信装置２２ａから受信した信号を増幅して無線通信により再発信するブースターとして機能している。コントロールセンタ１２は、図５においては図２に示すコントロールセンタ１２を例示しているが、図２に示すものでも、図４に示すものでもよい。
【００３４】
第３実施形態に係るコントロールセンタ監視システム１によれば、第１及び第２実施形態と同様の効果を奏する。また、第２発信装置２２ｂによって無線ＬＡＮ４２の受信範囲が広がるため、携帯端末４０を携帯する監視者の行動範囲が広くなる。これによって、第１発信装置２２ａだけでは届かなかった領域にまで携帯端末４０による無線通信可能範囲を広げることができるため、コントロールセンタ監視システム１の利便性がさらに向上する。
【００３５】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…コントロールセンタ監視システム、１２、１２ａ、１２ｂ、１２ｃ…コントロールセンタ、１４、１４ａ、１４ｂ、１４ｃ、１４ｄ…コントロールユニット、１６…発信装置、２２ａ…第１発信装置、２２ｂ…第２発信装置、１７、１７ａ、１７ｂ、１７ｃ、１７ｄ…第１信号取得部（センサ）、１８、１８ａ、１８ｂ、１８ｃ、１８ｄ…第２信号取得部（センサ）、１９、１９ａ、１９ｂ、１０ｃ、１０ｄ…信号送受信部、２０…計測器、４０…携帯端末、４２…無線ＬＡＮ（無線通信）
【図１】
2018126026.tif 000003
【図２】
2018126026.tif 000004
【図３】
2018126026.tif 000005
【図４】
2018126026.tif 000006
【図５】
2018126026.tif 000007